【事件の表示】
　特願２００２−　６３７２８「複合電子顕微鏡」拒絶査定不服審判事件〔平成１４年１１月２９日出願公開、特開２００２−３４３２９４〕について、次のとおり審決する。
【結　論】
　本件審判の請求は、成り立たない。
【理　由】
１　手続の経緯 
　本願は、特許法第４１条に基づく優先権主張を伴う平成１４年３月８日（優先日、平成１３年３月１２日）の出願であって、平成１８年１２月２７日付けで拒絶査定がなされ（発送日、平成１９年１月３０日）、これに対して平成１９年３月１日付けで拒絶査定不服審判の請求がなされるとともに、平成１９年３月２３日付けで手続補正がなされ、その後、当審により平成２０年７月１日付けで平成１９年３月２３日付けの手続補正を却下する決定がなされるとともに、同日付けで拒絶理由が通知されたところ、平成２０年９月１９日付けで手続補正がなされたものである。
　
２　当審の拒絶理由
　当審が通知した拒絶理由の概要は、請求項１ないし６に係る発明は、その特許出願前に日本国内又は外国において頒布された引用刊行物及び２に記載された発明及び従来周知の技術に基づいて当業者が容易に発明をすることができたものであるから、特許法第２９条第２項の規定により特許を受けることができない、というものである。
　　　　　　　　　　　　　　記　
　引用刊行物
（１）特開昭５９−１５７９４２号公報
（２）特開平　２−１５２１５４号公報
　　
３　本願発明
　請求項１に係る発明（以下「本願発明」という。）は、平成２０年９月１９日付けで手続補正によって補正された本願明細書及び図面の記載からみて、請求項１に記載された事項により特定される以下のとおりのものと認める。
「【請求項１】　走査型電子顕微鏡（ＳＥＭ）モード／走査透過型電子顕微鏡（ＳＴＥＭ）モード及び透過型電子顕微鏡（ＴＥＭ）モードとを備え、ＳＥＭ／ＳＴＥＭ像とＴＥＭ像を表示手段上で観察することができる複合電子顕微鏡であって、
走査型電子顕微鏡（ＳＥＭ）モード／走査透過型電子顕微鏡（ＳＴＥＭ）モードのための走査手段と、
ＴＥＭ像の倍率とその倍率における像の回転角とが記憶された記憶手段と、
走査型電子顕微鏡（ＳＥＭ）モード／走査透過型電子顕微鏡（ＳＴＥＭ）モードにおけるＳＥＭ／ＳＴＥＭ像をＴＥＭ像の倍率と回転角に合わせるために、前記記憶手段に記憶された倍率と回転角に基づいて所定の演算を施し、その結果で前記走査手段を制御するコンピュータとを具備して構成される複合電子顕微鏡。」
　　
４　引用刊行物に記載された発明
（１）当審での拒絶理由に引用され、本願の優先日前に頒布された刊行物である特開昭５９−１５７９４２号公報（以下「引用刊行物１」という。）には、「電子顕微鏡」の発明に関して、以下の事項が記載されている。
　
＜記載事項１＞
「［産業上の利用分野］
  本発明は電磁的に視野移動するようにした電子顕微鏡に関する。」（第１ページ右下欄第１〜２行）
　
＜記載事項２＞
「ところで、電子銃よりの電子線を走査する手段を有し、対物レンズ等の切換により試料の透過電子顕微鏡像と走査像を観察し得るようにした電子顕微鏡は、今日広く使用されているが、このような電子顕微鏡においては、視野を試料の移動によつて行なつていたため、観察モードを透過電子顕微鏡像と走査像との間で切り換えても視野の移動は生じないが、視野を電磁的に移動させる場合には、透過電子顕微鏡像の視野と走査像の視野は別個の偏向手段により移動させなければならない上、観察モードの切換の際の対物レンズの励磁の切換に伴なつて、電子線の回転量や偏向量が変化するため、モードを切換えると視野が移動してしまう。そのため、モードを切換えて同一の視野を観察しようとする場合には、モードの切換の都度、電磁的に視野移動をしなければならず、繁雑である。」（第１ページ右下欄第１５行〜第２ページ左上欄第１０行）
　
＜記載事項３＞
「［発明の目的］
  本発明はこのような従来の欠点を解決すべくなされたもので、電磁的に捉えた最初の視野を、観察モードの切換にかかわらず保持することのできる電子顕微鏡を提供することを目的としている。」（第２ページ左上欄第１１〜１５行）
　
＜記載事項４＞
「［実施例］
  以下図面に基づき、本発明の実施例を詳述する。
  第１図は本発明の一実施例を示すための図であり、図中、１は電子銃であり、電子銃１より電子線は集束レンズ３により集束されて試料４に照射される。５は対物レンズであり、６は第１，第２中間レンズ，投影レンズよりなる結像レンズ系である。これらレンズ乃至はレンズ系には各々レンズ電源３Ｌ，５Ｌ，６Ｌより励磁電流が供給される。７ａ，７ｂは走査像観察モードにおいて、電磁的に視野移動すると共に試料を走査するための２組の走査偏向コイルであり、・・・１４ａ，１４ｂは透過電子顕微鏡像モードにおいて視野を電磁的に移動させるための２組の偏向コイルであり」（第２ページ右上欄第１１行〜同左下欄第１３行）
　
＜記載事項５＞
「制御装置１６は入力装置２５よりの信号に基づいて観察モードの切換に伴なうレンズ系の制御，倍率指定信号に基づく倍率切換回路９及びレンズ電源６Ｌの制御等と共に前記走査偏向コイル７ａ，７ｂへの偏向信号の供給及び偏向コイル１４ａ，１４ｂへの偏向信号の供給を制御するためのもので、観察モード切換制御回路２１，倍率信号発生器２２，第２の切換回路２３，第３の信号変換部２４もこの制御装置１６に含まれている。」（第２ページ右下欄第２〜１１行）
　
＜記載事項６＞
「又、前記第１の信号変換部１８は偏向信号発生器１９よりの信号に基づいて視野移動する場合に、透過電子顕微鏡像モードにおいても走査像モードと同一視野が得られるよう該信号を透過像モードのために変換する回路であり、この変換関数は入力装置２５の変換部調節摘子２５ｄによつて調節される。又、第２の信号変換部２０は走査像モードから透過像モードに観察モードを切換えても試料上の同一視野を照明するように、偏向信号発生器１９の信号を変換する回路であり、この変換関数も変換部調節摘子２５ｅによつて調節される。同様に第３の信号変換部２４は観察モードの切換にかかわらず、同一倍率で観察できるよう倍率信号発生器２２よりの倍率信号を変換するための回路である。又、２６は透過像を表示するための蛍光板である。」（第２ページ右下欄第１５行〜第３ページ左上欄第１０行）
　
＜記載事項７＞
「このような構成において、まず、入力装置２５の変換部調節摘子２５ｄによつて、透過像モードと走査像モードにおける視野の移動の方向と比率が一致するように予め第１の信号変換部１８を調節しておくと共に、対物レンズ５の切換にかかわらず、電子線２が同一位置に照射されるように変換部調節摘子２５ｅにより第２の信号変換部２０を調節しておく。」（第３ページ左上欄第１１〜１８行）
　
＜記載事項８＞
「偏向電源１５に供給される信号は第１の信号変換部１８によつて走査像観祭モードにおける視野と同一の視野を得られるように変換されているため、蛍光板２６には走査像観祭モードにおける場合と同一視野の透過像が得られる。」（第３ページ右下欄第９〜１３行）
　
＜記載事項９＞
「更に又、同時に観察モード切換制御回路２１による第２の切換回路２３の切換により、電源６Ｌには第３の変換部２４で変換された倍率信号が供給されるため、透過像においても走査像と同一倍率の像を観察することができる。尚、逆に透過像から走査像にモードを切換える場合には、第１の切換回路１７及び第２の切換回路２３が上述した場合と逆に切換えられ、同一視野の像が観察できる。」（第３ページ右下欄第２０行〜第４ページ左上欄第８行）
　
＜記載事項１０＞
「透過電子顕微鏡像と走査像の両像について視野をＸ方向及びＹ方向に各々（ｘ，ｙ）だけ移動させるのに必要な偏向電流値データを各（ｘ，ｙ）の値に対して調べ、これらデータを透過像と走査像につい別個のテーブルに記憶させておき、観察モード切換制御回路２１よりの信号により読み出すテーブルを切換えると共に、読み出す番地を偏向信号発生器１９よりの信号により指定して該当するデータを読み出して実質的に変換を行ない、このデータに基づいて偏向電流を供給するようにしても良い。」（第４ページ右下欄第１２行〜同右上欄第２行）
　
　したがって、上記記載事項１〜１０、及び図面に基づけば、引用刊行物１には
「倍率信号が供給される集束レンズ電源３Ｌに接続された集束レンズ３、走査偏向コイル７ａ，７ｂ、透過電子顕微鏡像観察モードにおいて視野を電磁的に移動されるための偏向コイル１４ａ，１４ｂ、及び倍率信号が供給されるレンズ電源６Ｌに接続された結像レンズ系６を具備した、観察モードを透過電子顕微鏡像観察モードと走査像観察モードとの間で切り替えることができ、透過像を蛍光板２６に表示し、走査像を陰極線管１１に表示させ、観察することができる電子顕微鏡において、 
走査像観察モードにおいて、電磁的に視野移動すると共に試料を走査するための２組の走査偏向コイル７ａ，７ｂと、
透過電子顕微鏡像観察モードと走査像観察モードとを切り替えた際でも、同一の視野でかつ同一の倍率の像が観察できるように、集束レンズ電源３Ｌ又はレンズ電源６Ｌに供給される倍率信号を補正制御し、また、視野を保持して観察できるように、走査偏向コイル７ａ，７ｂに供給される走査信号、偏向コイルに供給される信号（偏向信号）を制御する制御装置１６を備えた電子顕微鏡。」の発明（以下「引用発明」という。）が記載されている。
　
（２）当審での拒絶理由に引用され、本願の優先日前に頒布された刊行物である特開平２−１５２１５４号公報（以下「引用刊行物２」という。）には、「透過型電子顕微鏡」の発明に関して、以下の事項が記載されている。
　
＜記載事項１１＞
「［産業上の利用分野］
　本発明は、透過型電子顕微鏡に関し、特に、レンズ系のレンズ電流を制御して試料像の像回転が行えるように構成された透過電子顕微鏡に関する。」（第２ページ右上欄第３〜８行）
　
＜記載事項１２＞
「本発明は上記問題点を考慮し、回折パターン投影モードにおけるレンズ系のレンズ電流を制御し前記投影される回折パターンの回転角を試料像の回転角に一致させたり、試料像の回転角と回折パターンの回転角のずれを表示することのできる透過型電子顕微鏡を提供することを目的としている。」（第１ページ右下欄第９〜１２行）
　
＜記載事項１３＞
「［実施例］
　以下、本発明の実施例を図面に基づいて説明する。第１図は本発明の一実施例を説明するための装置構成図、第２図及び第３図は第１図に示すメモリに記憶されているテーブルを説明するための図である。第１図において１は試料、２は対物レンズ、３，４は中間レンズ、５は投影レンズ、６は蛍光板、７は撮像部、８は中央制御装置（以下、ＣＰＵと称する。）、９はレンズ制御部、１０，１１はメモリ、１２は表示部、１３は入力部であり、像倍率の設定や像の回の転角の設定、電子顕微鏡像モードと回折パターン投影モードの選択切換等を行なうために使用されている。」（第２ページ左下欄第１４行〜同右下欄第５行）
　
＜記載事項１４＞
「そこで、前記メモリ１０及びメモリ１１には、電子顕微鏡像の投影時の投影レンズ系の励磁電流の総ＡＴと回折パターンの投影時の投影レンズ系の励磁電流の総ＡＴを一致させるような投影レンズ系の励磁電流の組合せを計算または実験により求めた励磁電流値のデータがテーブルとして記憶されている。ここで、第１図のメモリ１０に記憶されているテーブルは、第２図に示すような電子顕微鏡像モード時の像倍率Ｍ１〜Ｍｎを実現するために必要な各レンズの励磁電流値の組合せデータＡ１〜Ａｎを記憶したもので、該テーブルは電子顕微鏡像の回転角度Ｒのステップ数に応じて複数設けられている。」（第３ページ左上欄第１〜１３行）
　
＜記載事項１５＞
「例えば、入力部１３に像観察倍率Ｍ２が入力されると、ＣＰＵ８はメモリ１０に記憶されているテーブルから像回転ＲＯ（像回転の生じない状態）で像観察倍率Ｍ２の場合の中間レンズ、投影レンズ等の投影系レンズの励磁電流値のデータＡ２を読出し、該データをレンズ制御部９に供給する。そして、該レンズ制御部９は前記データＡ２に基づいて各レンズに前記指定された倍率に対応した励磁電流を供給する。」（第３ページ右上欄第３〜１１行）
　
＜記載事項１６＞
「ところで、前記メモリ１０及びメモリ１１には、像の回転と回折パターンの回転を一致させるために投影レンズ系の励磁電流の組合せを種々変化させて、計算または実験により求めた励磁電流値のデータが記憶されている。」（第３ページ右下欄第９〜１３行）
　
　記載事項１１ないし１６の記載からみて、引用刊行物２には、電子顕微鏡において、観察像の倍率と、その倍率における像の回転量とを記憶した記憶手段を備える発明及び電子顕微鏡において、電子ビームの制御する手段としてＣＰＵを利用することが記載されている。 
　
５ 対比
　本願発明と引用発明とを比較する。
（１）引用発明の「透過電子顕微鏡像観察モード」は本願発明の「透過型電子顕微鏡（ＴＥＭ）モード」に相当する。
　引用発明の「走査像観察モード」と本願発明の「走査型電子顕微鏡（ＳＥＭ）モード／走査透過型電子顕微鏡（ＳＴＥＭ）」とは、走査型電子顕微鏡（ＳＥＭ）モードの点で共通する。
　したがって、引用発明の「観察モードを透過電子顕微鏡像観察モードと走査像観察モードとの間で切り替えることができる」と本願発明の「走査型電子顕微鏡（ＳＥＭ）モード／走査透過型電子顕微鏡（ＳＴＥＭ）モード及び透過型電子顕微鏡（ＴＥＭ）モードとを備え」とは、走査型電子顕微鏡（ＳＥＭ）モード及び透過型電子顕微鏡（ＴＥＭ）モードとを備えの点で共通する。
  　
（２）引用発明の「透過像を蛍光板２６に表示し、走査像を陰極線管１１に表示させ、観察することができる」と本願発明の「ＳＥＭ／ＳＴＥＭ像とＴＥＭ像を表示手段上で観察することができる」とは、ＳＥＭ像とＴＥＭ像を観察することができるという点で共通する。
　
（３）引用発明の「２組の走査偏向コイル７ａ，７ｂ」は本願発明の「走査手段」に相当するから、引用発明の「走査像観察モードにおいて、電磁的に視野移動すると共に試料を走査するための２組の走査偏向コイル７ａ，７ｂ」と本願発明の「走査型電子顕微鏡（ＳＥＭ）モード／走査透過型電子顕微鏡（ＳＴＥＭ）モードのための走査手段」とは、走査型電子顕微鏡（ＳＥＭ）モードのための走査手段の点で共通する。
　
（４）
ア　引用発明の「透過電子顕微鏡像観察モードと走査像観察モードとを切り替えた際でも、同一の視野でかつ同一の倍率の像が観察できるように」と本願発明の「走査型電子顕微鏡（ＳＥＭ）モード／走査透過型電子顕微鏡（ＳＴＥＭ）モードにおけるＳＥＭ／ＳＴＥＭ像をＴＥＭ像の倍率と回転角に合わせるために」とは、走査型電子顕微鏡（ＳＥＭ）モードにおけるＳＥＭ像をＴＥＭ像に合わせるためにという点で共通する。
イ　引用発明の「集束レンズ電源３Ｌ又はレンズ電源６Ｌに供給される倍率信号を補正制御し、また、視野を保持して観察できるように、走査偏向コイル７ａ，７ｂに供給される走査信号、偏向コイルに供給される信号（偏向信号）を制御する」と本願発明の「前記記憶手段に記憶された倍率と回転角に基づいて所定の演算を施し、その結果で前記走査手段を制御する」とは、所定の演算を施し、その結果で前記走査手段を制御する点で共通する。
ウ　引用発明の「制御装置１６」と本願発明の「コンピュータ」とは、制御装置の点で共通する。
エ　したがって、引用発明の「透過電子顕微鏡像観察モードと走査像観察モードとを切り替えた際でも、同一の視野でかつ同一の倍率の像が観察できるように、集束レンズ電源３Ｌ又はレンズ電源６Ｌに供給される倍率信号を補正制御し、また、視野を保持して観察できるように、走査偏向コイル７ａ，７ｂに供給される走査信号、偏向コイルに供給される信号（偏向信号）を制御する制御装置１６」と本願発明の「走査型電子顕微鏡（ＳＥＭ）モード／走査透過型電子顕微鏡（ＳＴＥＭ）モードにおけるＳＥＭ／ＳＴＥＭ像をＴＥＭ像の倍率と回転角に合わせるために、前記記憶手段に記憶された倍率と回転角に基づいて所定の演算を施し、その結果で前記走査手段を制御するコンピュータ」とは、走査型電子顕微鏡（ＳＥＭ）モードにおけるＳＥＭをＴＥＭ像に合わせるために、所定の演算を施し、その結果で前記走査手段を制御する制御手段の点で共通する。
　
（５）引用発明の対象である「電子顕微鏡」は複数の観察モードを有するから、本願発明の対象である「複合電子顕微鏡」に相当する。
　
　したがって、本願発明と引用発明の両者は、
「走査型電子顕微鏡（ＳＥＭ）モード及び透過型電子顕微鏡（ＴＥＭ）モードとを備え、ＳＥＭ像とＴＥＭ像を観察することができる複合電子顕微鏡であって、
走査型電子顕微鏡（ＳＥＭ）モードのための走査手段と、
走査型電子顕微鏡（ＳＥＭ）モードにおけるＳＥＭをＴＥＭ像に合わせるために、所定の演算を施し、その結果で前記走査手段を制御する制御手段とを具備して構成される複合電子顕微鏡。」の点で一致し、以下の点で相違する。 
　相違点１ 
　複合電子顕微鏡が、本願発明は、「走査型電子顕微鏡（ＳＥＭ）モード／走査透過型電子顕微鏡（ＳＴＥＭ）モード及び透過型電子顕微鏡（ＴＥＭ）モードとを備え、ＳＥＭ／ＳＴＥＭ像とＴＥＭ像を表示手段上で観察することができる」のに対して、引用発明は、走査像観察モードに、走査透過型電子顕微鏡（ＳＴＥＭ）モードを含むのか明らかでなく、また、ＳＥＭ／ＳＴＥＭ像とＴＥＭ像を表示手段上で観察することができる点が限定されていない点。 
　相違点２ 
　本願発明は、「ＴＥＭ像の倍率とその倍率における像の回転角とが記憶された記憶手段」を具備するのに対して、引用発明は、その点が限定されていない点。 
　相違点３ 
　本願発明は、「走査型電子顕微鏡（ＳＥＭ）モード／走査透過型電子顕微鏡（ＳＴＥＭ）モードにおけるＳＥＭ／ＳＴＥＭ像をＴＥＭ像の倍率と回転角に合わせるために、前記記憶手段に記憶された倍率と回転角に基づいて所定の演算を施し、その結果で前記走査手段を制御するコンピュータ」を具備するのに対して、引用発明は、その点が限定されていない点。 
　　
６　当審の判断
　上記相違点について検討する。
（１）　相違点１
　走査像を観察できる電子顕微鏡において、走査透過像の観察もできる機能を付加し、ＣＲＴ上、即ち表示手段上にに観察像を表示することは従来周知の技術である〔特開平７−１６９４２９号公報（【０００２】、【０００９】）〕。
　また、引用発明は、透過像を蛍光板２６に表示するものであり、透過電子顕微鏡像を蛍光板に投影してこれをＣＲＴ上に表示することは従来周知の技術である以上〔特開平１−２８９０５９号公報（第２ページ左下欄第１〜６行）〕、引用発明において透過電子顕微鏡像をＣＲＴ上、即ち表示手段上に表示することは格別なことではない。
　してみると、相違点１に係る本願発明の発明特定事項は、引用発明及び従来周知の技術に基づいて当業者が容易に想到し得る事項である。
　
イ　相違点２
　透過電子顕微鏡において、倍率を変更すると観察している試料が回転してしまうという問題があることは従来から当業者において認識されていた周知の課題である（例えば、特開昭５８−５９５６号公報の第１ページ右下欄）。
　また、引用刊行物１には、「視野を電磁的に移動させる場合には、透過電子顕微鏡像の視野と走査像の視野は別個の偏向手段により移動させなければならない上、観察モードの切換の際の対物レンズの励磁の切換に伴なつて、電子線の回転量や偏向量が変化する」ことが記載されている（第２ページ左上欄第２〜６行）。 
　この記載から、引用発明において、透過電子顕微鏡像観察モードと走査像観察モードとの間で観察モードを変更した場合、観察像が回転することを当業者ならば読み取ることができる。 
 　さらに、「４（２）」の項で述べたように、引用刊行物２には、電子顕微鏡において、観察像の倍率と、その倍率における像の回転量とを記憶した記憶手段を備える発明が記載されている。 
　そして、引用発明及び引用刊行物２に記載された発明が属する技術分野はいずれも電子顕微鏡であり、引用発明に引用刊行物２に記載された発明を適用することに困難性はない。
　してみると、相違点２に係る本願発明の発明特定事項は、引用発明に引用刊行物２に記載された発明を適用することにより、当業者が容易に想到し得る事項である。
　
ウ　相違点３
　記憶手段については「イ　相違点２」の項で検討済みであり、これを踏まえて相違点３を検討する。
　引用発明は、透過電子顕微鏡像観察モードと走査像観察モードとを切り替えた際でも、同一の視野でかつ同一の倍率の像が観察できるように、集束レンズ電源３Ｌ又はレンズ電源６Ｌに供給される倍率信号を補正制御し、また、視野を保持して観察できるように、走査偏向コイル７ａ，７ｂに供給される走査信号、偏向コイルに供給される信号（偏向信号）を制御する制御装置１６を備えている。
　そして、「４（２）」の項で述べたように、引用刊行物２には、電子ビームの制御する手段としてＣＰＵを利用することが記載されており、引用発明の上記制御装置１６として、ＣＰＵ、即ちコンピュータを採用することは設計事項である。 
　してみると、相違点３に係る本願発明の発明特定事項は、引用発明に引用刊行物２に記載された発明を適用することにより、当業者が容易に想到し得る事項である。
　　
　そして、本願発明の効果は、引用刊行物１及び２の記載から当業者が予測し得る範囲内のものである。
　　
７　まとめ
　本願発明は、引用刊行物１及び２に記載された発明並びに従来周知の技術に基づいて当業者が容易に発明することができたものであるから、特許法第２９条第２項により特許を受けることができない。
　
　よって、結論のとおり審決する。